(57)【特許請求の範囲】
【請求項１】
コンピュータにおいてＰＣＭＣＩＡカードの少なくとも一部を封入するコンパートメントであって、前記カードが内部に十分に納まるだけの大きさの寸法を有する凹形カードハウジングと、前記カードハウジング上に配置された可動蓋とからなり、前記可動蓋は前記ＰＣＭＣＩＡカードの水平部分のほぼ全部を覆うための手段を備えており、前記ハウジングは、前記カードの凸部だけは上方に露出するがコンパートメントの外側に突き出ないような形で、前記ＰＣＭＣＩＡカードの前記水平部分のほとんど全部を内部に収容する手段を備え、さらに前記ハウジングが、前記ハウジングの内部を風雨から保護するために、その外縁部の周囲にゴムパッキンを備えるものであることを特徴とするコンパートメント。
【請求項２】
水平部分のみを有するＰＣＭＣＩＡカードが使用される際には、前記ハウジングおよび前記可動蓋がカード全体を封入することを特徴とする請求項１記載のコンパートメント。
【請求項３】
水平部分および凸部を有するＰＣＭＣＩＡカードが使用される際には、前記ハウジングおよび前記可動蓋が水平部分全体を封入することを特徴とする請求項１記載のコンパートメント。
【請求項４】
前記可動蓋が結合具を備えており、前記結合具がコンパートメントの側部に配置されたトラックに沿って走行することを特徴とする請求項１記載のコンパートメント。
【請求項５】
前記可動蓋が、前記カードを適所に保持するように前記蓋が前記カードに加圧するような方式で、前記カードハウジングの上でばね荷重をかけられていることを特徴とする請求項１記載のコンパートメント。
【請求項６】
前記可動蓋が、前記ハウジングの内部を風雨から保護するために、その外縁部の周囲にゴムパッキンを備えることを特徴とする請求項１記載のコンパートメント。
【請求項７】
前記ハウジングおよび前記可動蓋の両方が、前記ハウジングの内部を風雨から保護するために、各自の外縁部の周囲にゴムパッキンを備えることを特徴とする請求項１記載のコンパートメント。
【請求項８】
前記可動蓋が、前記コンピュータの上面その他の表面上に合わさるための手段を備えることを特徴とする請求項１記載のコンパートメント。
【請求項９】
前記可動蓋が、前記コンピュータの上面その他の表面の内部に納まるための手段を備えることを特徴とする請求項１記載のコンパートメント。
【請求項１０】
凹形のカードハウジングおよび、前記ハウジング上の開口の少なくとも一部を封鎖する手段を有する可動蓋を備えるコンピュータのＰＣＭＣＩＡカードコンパートメントであって、前記ハウジングは前記カードが内部に十分に納まるだけの大きさの寸法を有し、前記可動蓋は前記ハウジング上に配置され前記開口の全部にわたり移動可能であり、前記可動蓋は前記ＰＣＭＣＩＡカードの水平部分のほぼ全部を覆うための手段を備えており、前記ハウジングは前記カードの凸部だけは上方に露出するがコンパートメントの外側に突き出ないような形で前記カードを収容する手段を備え、さらに前記ハウジングが、前記ハウジングの内部を風雨から保護するために、その外縁部の周囲にゴムパッキンを備えるものであることを特徴とするＰＣＭＣＩＡカードコンパートメント。
【請求項１１】
水平部分のみを有するＰＣＭＣＩＡカードが使用される際には、前記ハウジングおよび前記可動蓋がカード全体を封入することを特徴とする請求項１０記載のコンパートメント。
【請求項１２】
水平部分および凸部を有するＰＣＭＣＩＡカードが使用される際には、前記ハウジングおよび前記可動蓋が水平部分全体を封入することを特徴とする請求項１０記載のコンパートメント。
【請求項１３】
前記可動蓋が結合具を備えており、前記結合具がコンパートメントの側部に配置されたトラックに沿って走行することを特徴とする請求項１０記載のコンパートメント。
【請求項１４】
前記可動蓋が、前記カードを適所に保持するように前記蓋が前記カードに加圧するような方式で、前記カードハウジングの上でばね荷重をかけられていることを特徴とする請求項１０記載のコンパートメント。
【請求項１５】
前記可動蓋が、前記ハウジングの内部を風雨から保護するために、その外縁部の周囲にゴムパッキンを備えることを特徴とする請求項１０記載のコンパートメント。
【請求項１６】
前記ハウジングおよび前記可動蓋の両方が、前記ハウジングの内部を風雨から保護するために、各自の外縁部の周囲にゴムパッキンを備えることを特徴とする請求項１０記載のコンパートメント。
【請求項１７】
前記可動蓋が、前記コンピュータの上面その他の表面上に合わさるための手段を備えることを特徴とする請求項１０記載のコンパートメント。
【請求項１８】
前記可動蓋が、前記コンピュータの上面その他の表面の内部に納まるための手段を備えることを特徴とする請求項１０記載のコンパートメント。
【発明の詳細な説明】
【０００１】
【発明の属する技術分野】
本発明は、コンピュータ構成部品、より詳細には、ＰＣＭＣＩＡカードおよびその類似物のハウジングに関する。〔本願は、１９９７年１１月２１日に米国特許庁に提出された原出願第０８／９７５，９６４号の一部継続出願である。〕
【０００２】
【従来の技術】
ＰＣＭＣＩＡは、パーソナルコンピュータメモリカード国際協会（Ｐｅｒｓｏｎａｌ  Ｃｏｍｐｕｔｅｒ  Ｍｅｍｏｒｙ  Ｃａｒｄ  Ｉｎｔｅｒｎａｔｉｏａｌ  Ａｓｓｏｃｉａｔｉｏｎ）を称するために一般に使用されている用語である。ＰＣＭＣＩＡは、「ＰＣカード」と呼ばれる、小型のクレジットカードほどの大きさの装置に関する規格を策定してきた約５００社から成る団体である。当初、それらのＰＣカードは可搬型のラップトップコンピュータにメモリを付加する際の使用を意図されていたが、ＰＣＭＣＩＡ規格は数度にわたり拡張され、現在では多数の種類の装置に適合可能となっている。実際には、３種類のＰＣＭＣＩＡカードがある。これら３種類はすべて同一の長方形の大きさであるが（８５．６×５４  mm）、幅および外側の端部が異なる。“Ｐｅｒｓｏｎａｌ  Ｃｏｍｐｕｔｅｒ  Ｄｉｃｔｉｏｎａｒｙ”（Ｐｈｉｌｉｐ  Ｅ．  Ｍａｒｇｏｌｉｓ編，Ｒａｎｄｏｍ  Ｈｏｕｓｅ社，第２版）では、以下のように定義されている。・ＴｙｐｅＩカードは、厚さ最大３．３  mmとすることができ、主に、コンピュータに補助のＲＯＭまたはＲＡＭを増設するために使用される。
・ＴｙｐｅIIカードは、厚さ最大５．５  mmとすることができる。これらのカードは、モデムおよびファックスモデムカードに使用される場合が多い。
・ＴｙｐｅIIIカードは、厚さ最大１０．５  mmとすることができ、可搬型ディスクドライブ用に十分な大きさである。
【０００３】
カードと同様、ＰＣＭＣＩＡカードスロットも３種類の大きさがある。
・ＴｙｐｅＩスロットはＴｙｐｅＩカード１個を保持できる。
・ＴｙｐｅIIスロットはＴｙｐｅIIカード１個またはＴｙｐｅＩカード１個を保持できる。
・ＴｙｐｅIIIスロットはＴｙｐｅIIIカード１個またはＴｙｐｅＩおよびＴｙｐｅIIカード１個を保持できる。
【０００４】
理論的に、ＰＣカードは、コンピュータをリブートすることなく、動作させながら交換できるはずである。例えば、ファックスを送信したい場合にファックスモデムカードを装着し、それが終わったら、ファックスモデムカードをメモリカードと交換することが可能なはずである。残念なことに、これは、初期の規格の不備および製造者の実施の不手際のために、意図通りに機能しない場合があった。しかし、この規格は成熟段階に達しているようであり、そのようなプラグアンドプレイ取り付けが実現するようになっている。
【０００５】
一部の分析家は、ＰＣカードが可搬型コンピュータだけでなくデスクトップコンピュータについても有力な強化技術になる可能性を持っていると確信している。
【０００６】
ＰＣＭＣＩＡカードは、基本的に、ＰＣＭＣＩＡカードスロットに嵌合するように設計されているが、スロットから突き出ているＰＣカードの一部分（ダングル）に対する損傷の可能性のために、完全なＰＣＭＣＩＡカードハウジングが米国特許係属出願第０８／９７５，９６４号において提起されている。このハウジングは、蓋を閉じると、ＴｙｐｅＩ、ＴｙｐｅIIまたはＴｙｐｅIIIカード全体を収容するが、大きく凸状に隆起している端の付属物を有するＰＣカードは収納できない。
【０００７】
音声作動型ウエアラブルコンピュータにおいて、米国特許出願第０８／９７５，９６４号で説明されたようなＭｏｂｉｌｅ  Ａｓｓｉｓｔａｎｔ（登録商標）（１３３ＰまたはＭＡＩＶ）のＰＣＭＣＩＡカードの蓋は、全部のＰＣＭＣＩＡカードを収納することはできない。それは、一部のＰＣＭＣＩＡカード製造者が、そのカードの端にじゃまな付属物を設けているからである。そのことはある程度、それらの製造者がコネクタの現行規格およびそれらの規格に適合する必要性に迫られているので、妥当ではある。例えば、Ｓｐｅｅｃｈ  Ｓｏｌｕｔｉｏｎｓ社は、ＴｙｐｅIIのＤＳＰベースの音声認識カードを製造しているが、このカードは、使用者が、標準のＲＣＡマイクロフォンジャックをカードに接続する必要がある。ある形式のコネクタを備えるマイクロフォンがすでに存在するので、Ｓｐｅｅｃｈ  Ｓｏｌｕｔｉｏｎｓ社はそれらのコネクタ形式のほとんどを収容できるようにしなければならない。これは、コネクタが可能な最小限の物理的大きさを制限する（この場合、１／８インチＲＣＡジャックを収容しなければならない）。他の製造者もまた、ＰＣＭＣＩＡカードコネクタが可能な大きさに対する自由は、ほとんど、または全くといっていいほどなく、ＰＣＭＣＩＡカードに接続したい装置の物理的大きさによって制限されるか、または、コネクタが可能であり、かつカードの必要な機能を付与し得る大きさによって制限されるかのどちらかである。この実例としては、他のコンピュータと通信するためのワイヤレス接続を可能にするＰＣＭＣＩＡカードがあろう。この場合、カードが他の装置と通信できるようにするために、ＰＣＭＣＩＡカードにアンテナを付属させる必要がある。可能な限り最小のアンテナを備え、許容できる成果を得ることは難題である。アンテナが小さくなればなるほど、アンテナがカバーできる範囲は小さくなることに留意しなければならない。これは、装置の製造者が対処しなければならない比較考量する事項である。装置自体の機能を制約することなく、装置の大きさをできる限り最小にする必要性が存在する。
【０００８】
【発明が解決しようとする課題】
従って、本発明の目的は、上述の不利益のないＰＣＭＣＩＡ（ＰＣ）カードハウジングを提供することである。
【０００９】
本発明の第２の目的は、多様な大きさおよび形状のＰＣＭＣＩＡカードを収納するように適応された可動蓋を備えるＰＣＭＣＩＡカードハウジングを提供することである。
【００１０】
本発明の第３の目的は、端の張出部分を含むカードのいずれかの部分への損傷を最小限にするＰＣカードハウジングを提供することである。
【００１１】
本発明の第４の目的は、可動蓋がカード構成部分の露出を最低限にしてカードをハウジング内に封入させるような、前記ハウジングを覆う滑動式または可動式の蓋を提供することである。
【００１２】
本発明の第５の目的は、ＴｙｐｅＩ、ＴｙｐｅIIおよびＴｙｐｅIIIのＰＣＭＣＩＡカードを収納できるＰＣカードハウジングおよび可動蓋を提供することである。
【００１３】
本発明の第６の目的は、ＰＣカードをコンピュータに容易に脱着できるＰＣカードハウジングを提供することである。
【００１４】
本発明の第７の目的は、カードが損傷を受ける恐れのない、カードがコンピュータの端部を超えて水平方向または長手方向に突き出ないようなＰＣＭＣＩＡカードハウジングを提供することである。
【００１５】
【課題を解決するための手段】
本発明の上述その他の目的は、柔軟性のある滑動式または可動式の蓋が閉じた時、全部の形式のＰＣＭＣＩＡカードを収納できるだけの十分な大きさであるＰＣＭＣＩＡカードハウジングによって達成される。この新規な蓋で封鎖することにより、カードのダングルその他の部分に対する損傷は最小限になる。従来技術の装置では、ＰＣＭＣＩＡカードのダングルの相当の部分は、コンピュータの端部から著しく突き出ているために、長手方向に露出する。これは、従来技術のラップトップコンピュータまたはウエアラブルコンピュータといった可搬型コンピュータにおいては特に好ましくない（本願の開示の図１および２参照）。
【００１６】
本発明による通り、この課題の解決策は、ＰＣＭＣＩＡカードの蓋を滑動式に開くようにし、それにより、ＰＣＭＣＩＡカードの開口が非標準的または大きなダングルを有するカードを受け入れられるようにすることであろう。ＰＣＭＣＩＡカードの開口を外部環境に露出させないようにするために、ＰＣＭＣＩＡカードの蓋は、ＰＣＭＣＩＡカードコンパートメントの内部を保護するゴムパッキンを蓋に備えることができる。
【００１７】
本発明の滑動式構成は、基本的にモバイルコンピュータでの使用のために設計されているが、従来型のコンピュータまたはラップトップコンピュータでの使用に関しても容易に適応可能である。本発明の蓋の説明は本開示の全体にわたりモバイルコンピュータで使用されるように記述されているが、ＰＣＭＣＩＡカードを使用するいずれの形式のコンピュータにおいても使用できることを理解しなければならない。
【００１８】
【発明の実施の形態】
図１に、従来技術において公知のラップトップコンピュータ３６を示す。ラップトップコンピュータ３６は、コンピュータラップトップハウジング３７およびモニタ３８を含むコンピュータの従来の構成要素を有する。ＰＣＭＣＩＡカード（ＰＣカード）３９が、ラップトップコンピュータ３６に従来通りに接続使用されて図示されている。図１から、ＰＣカード３９およびそのダングル４５がコンピュータの端４３を超えてハウジング３７の外側に長手方向に大幅に突き出ており、何らかの実質的な力がかかった場合には損傷を受けやすくなっていることがわかる。また図２には、ＰＣカード４２を受け入れるように適応されているＰＣカードスロット口４１を備える、従来技術のモバイルコンピュータ４０が示されている。図１および図２に示した両方の従来技術の装置では、ＰＣカード３９および４２ならびに各自のダングル４５は、使用時に、ラップトップコンピュータ３６およびモバイルコンピュータ４０の各々のコンピュータ側端部４３および４４を超えて長手方向に著しく突き出ている。こうした従来技術の装置では、ＰＣカードは、特にモバイルコンピュータにおいて、容易に破損し、ＰＣＭＣＩＡ（ＰＣ）カードによって得られるコンピュータの能力を機能させなくする恐れがある。ＰＣＭＣＩＡカードがモバイルコンピュータの長手軸に対して垂直に突き出ているとしても、カードは損傷を受けにくくなるというだけであろう。
【００１９】
図３Ａには、特許出願番号第０８／９７５，９６４号の従来技術の身体装着型モバイルコンピュータ１が示されている。この図には、ＰＣカードコンパートメント２６を開いている蝶番式開閉蓋９が示されている。ＰＣカード２８がコンパートメント２６に収容され、蓋９が閉じられると、収容されたＰＣカード２８と接続するケーブル３１は穴２３から出る。この従来技術のモバイルコンピュータの１つの実施の形態では、蓋９は、開けた時に、少なくとも１個（１〜４個のカード）のＰＣＭＣＩＡカード（ＰＣカード）２８の接続部３４を露出させる。これは、図１および図２に示された長手方向に突き出たＰＣＭＣＩＡカード（ＰＣカード）はコンピュータの側面を超えて突き出ており、容易に破損し、ＰＣＭＣＩＡカードによって得られるコンピュータの能力を機能させなくする恐れがあることから、図１および図２の構造の重要な改良である。図４に示す通り本発明では、ＴｙｐｅＩ、IIまたはIIIのＰＣカードはハウジング２６内に完全に収容され、ケーブルもしくはコネクタ２７または凸部４６だけがハウジング２６および蝶番式蓋９から穴２３を通して出る。また、ハウジング２６は、屋外で装着する際に耐候性を与えるために蓋の周囲のシーリング３０を可能にする。この内部ハウジング２６は、現在、ＰＣカード２８の損傷を防止する手段および、カード２８およびハウジング２６を雨、水分、雪その他の苛酷な気象条件に対する耐候性を与える手段となる。ボタン２９のイジェクト手段は、この場合、凹部にあり手の届きにくい従来技術のボタンよりも操作しやすい。さらに、この実施の形態では、ＰＣカード２８の押圧点は、ＰＣカード２８への損傷をより最小限に留めるために低減されている。弾性耐候性シーリング３０は、蓋に耐候性を与え、前述の通り、気象条件による損傷からハウジング２６の内部およびカード２８を保護するために使用されている。図３Ａにおいて、ハウジング２６内のカード２８と接続しているケーブル３１は、蓋９が開いた状態で図示されているが、閉じた時にはカード２８を密封するようになる。図３Ａ、４、６、７、８および９では、コンピュータハウジング２の上面前方部に、コントロールボタン１１およびジョイスティックまたはレバー１２がある。レバー１２は、コンピュータ１をモバイルまたは従来のコンピュータとして使用する際にマウスポインタを移動および制御するために使用される。コントロールボタン１１は、コンピュータ１を従来のコンピュータとして使用する際にプログラムの実行またはメニュー選択のために使用される。これらのコントローラ１１および１２は図３Ａ、４、６、７、８および９に明示されている。コンピュータ１の側面には、コンピュータハウジング２の内部から熱を外気に放出発散させる通気ルーバ（またはヒートシンク）１３がある。これらのリブ状の側面通気孔またはルーバ１３は、コンピュータの諸機能を誤作動または減速させる恐れのある内部の熱を低減させるのを助ける。コンピュータハウジング２は対称形となっており、コンピュータが使用者の腰の右側または左側のいずれかに装着された時に、背面部５、周辺装置コネクタまたはコンピュータ端部３およびケーブルが常に使用者の背中に来るようになっている���コンピュータ１を従来式のコンピュータとして使用し、平らな机その他の平面に置く場合、コンピュータの前方部１０を支持するために固定スタンド１４が使用される。この前方スタンド１４は、図３Ａに示すようにベルトループ（またはハンドル）としても使用できる。図３Ａと同型のモバイルコンピュータは、本発明においても使用されるが、全部の形式のＰＣＭＣＩＡカードを収容するために、ハウジング２６が大きく作られ、蓋９がコンピュータ１の水平軸に沿って可動する点が異なる。コンピュータ１を従来式のコンピュータとして使用する場合、ケーブル４は、モニタ、キーボード、電源といった従来式のコンピュータの構成要素または他のいずれかの好適な構成要素と接続できる。ルーバ付きの側面または通気孔１３は、この種の用法でも放熱を可能にする。
【００２０】
図３Ａ、４、６、７、８および９において、右利きおよび左利きの使用者の両方にとって容易に操作しやすいコントロールボタン１１が配置されたコンピュータの上面前方部が図示されている。コンピュータハウジングを右利き用から左利き用に変えるために逆さまにした場合、ボタン１１およびマウスレバー１２のコントローラは常に使用者の前面に向き容易に操作使用しやすくなる。言い換えれば、装着した時に右側面１５が上下どちらを向いていても、コントローラ１１および１２は必ず前面を向き、ケーブル４および引出し口部３は常に使用者の背中に向くようになる。コントローラまたはボタン１１の機能を交替または逆にするためにコントローラまたはソフトウエアを備えることができる。Ｖｅｒｓａ  Ｐｏｉｎｔ（登録商標）マウスポインティング技術は、コントローラ１１および１２の好適な手段の１つとして使用することができよう。Ｖｅｒｓａ  Ｐｏｉｎｔは、Ｉｎｔｅｒｌｉｎｋ  Ｅｌｅｃｔｒｏｎｉｃｓ社（５４７  Ｆｌｙｎｎ  Ｒｄ．，  Ｃａｒｎａｒｉｌｌａ，  ＣＡ  ９３０１２）の登録商標である。開口２２は、ワイヤレス通信に使用できるＩｒＤＡポートである。ＩｒＤＡ（ＩｎｆｒａＲｅｄ  Ｄａｔａ  Ａｓｓｏｃｉｃａｔｉｏｎ）ポートは、例えば米国特許第５，４９１，６５１号および他の刊行物において開示の通り公知である。ＩｒＤＡポートは、情報またはデータの転送その他の所定の用途のためにローカルエリアネットワーク、プリンタ、他のコンピュータと通信するためにトランシーバ（送信および受信）として使用される。オフセットされ凹部のある底部張出６の位置が、コンピュータハウジング２の背面部５の下に若干引っ込んだ形で示されている。使用者の身体に接触するハウジング２の湾曲７が図４に示されている。図３および他の適用可能な図はすべて（単に明白さのためだけに）ハウジング２について矩形構成を示しているが、望ましければ他の形状または構成も使用できよう。例えば、本発明の他の細部が特許請求の範囲の通りに存在していれば、楕円または円形の構成も使用してよい。開口１６および１７は、フロッピィディスクドライブ、バーコードスキャナ、ＶＧＡポートまたは外部モニタコネクタといった他の周辺装置をコンピュータ１に接続するための手段となる。ハウジング２は、軽量で構造的強度のあるプラスチックで製作することが好ましい。端部３の周辺装置引出し口は、いずれかの適切な数を使用することができ、底部張出６に配置される。開口２３は、ＰＣＭＣＩＡカードスロットにより使用されるケーブル用のケーブル穴である。
【００２１】
図３Ａの構造はダングル４５を損傷から保護するように好適に設計されているが、図３Ｂからわかるように、ＰＣＭＣＩＡカードの凸部４６は図３Ａおよび３Ｂに示す構造のコンパートメント２６には納まらないであろう。図３Ａの蝶番式の蓋９を使用した場合には、蓋９も閉まらないであろう。図３Ａおよび３Ｂに示したコンピュータハウジングのコンパートメント２６は、凸部４６を有するＰＣＭＣＩＡカードを収容できるほど十分に大きくないばかりでなく、蓋９も閉まらないことになる。従って、本発明のハウジングコンパートメント２６を拡大する必要があり、図３Ａの蓋９も図４に示すような可動蓋４７に換える必要がある。
【００２２】
図４では、ＰＣＭＣＩＡカード４８は、コンパートメント２６に納まっており、凸部４６だけでなく全体がしっかりした下支えにより支持され、可動蓋４７によって覆い隠されている。ＰＣＭＣＩＡカードのいずれの部分もコンピュータの端部３を超えて長手方向に突き出ていないことが、本発明の肝要な点である。ウエアラブルコンピュータでは、ＰＣＭＣＩＡカードに、容易に損傷を受ける恐れのあるような構成要素やダングルがいっさい突き出ていないことは極めて重要である。凸部４６のような上向きの出っ張りは、コンピュータの範囲内になり、外側に突き出るのではなく、コンピュータ１の領域内に入る。ＰＣＭＣＩＡカードコンパートメント２６の内部を確実に保護するために、蓋４７およびコンパートメント２６の上部の外周の周りに防水性の縁４９を備えることができる。図４では蓋４７が若干開いて凸部４６に接触していないように示されているが、これは明白さのためであり、実際の使用では、蓋４７は凸部４６にぴったり合わさる。可動蓋４７は滑り開けた時にコンピュータハウジング２６の上面２の上にぴったり合わさり、閉じた時にはコンパートメントハウジングの開口２６と同一平面に収まる。
【００２３】
図５には、異なる形式のＰＣＭＣＩＡカードが図示されているが、それぞれ、本発明のコンパートメント２６に正しく収容することができる。図５には、ＴｙｐｅＩ、IIおよびIIIのＰＣＭＣＩＡカードが示されている。
【００２４】
図４、６、７、８および９は、本発明の新規のＰＣＭＣＩＡカードコンパートメントおよび可動蓋を例示している。図４は、コンピュータの上面２の上に接触して動く蓋４７を示しており、これは図６および７に示した構造によって実現される。図６では、滑動蓋４７は、ブラケットトラック８を有する両側面５０および５１にブラケット４で結合されている。ブラケット４の上端部は蓋４７の側部に固定されており、ブラケット４の下端部はトラック８を滑動できるようになっている。蓋４７を（コントローラ１１および１２の方へ）移動すなわち押し下げると、蓋４７は図７に示すようにコントローラハウジング２の上面に合わさる。図７に示した蓋の開いた状態は、図４に示したようなＰＣＭＣＩＡカードの凸部を収容するのに十分な余地をＰＣＭＣＩＡカードコンパートメント２６に与えている。（図４に示したように）凸部４６がコンピュータの端部３を超えて長手方向に突き出ないことが本発明の肝要な点である。凸部４６は上方に突き出るだけであり、重要なことであるが、損傷を受けやすいように、コンピュータの端部３を超えて長手方向に突き出ることはない。この収容方式により、ザイブナーコーポレーション（Ｘｙｂｅｒｎａｕｔ  Ｃｏｒｐｏｒａｔｉｏｎ）のモバイルアシスタント（Ｍｏｂｉｌｅ  Ａｓｓｉｓｔａｎｔ（登録商標））のようなウエアラブルコンピュータにおいて特に重要である、コンパートメント２６内での適切な物理的支持をＰＣＭＣＩＡカードに与える。蓋４７を凸部４６まで閉めると、ＰＣＭＣＩＡカードは適位置に確実に保持され、凸部４６はコンピュータ１の端部３を超えて長手方向に突き出ない。トラック８は、蓋４７の所定の移動量に等しい長さだけモバイルコンピュータ１の両側面５０および５１に沿って設けられている。開口２３はやはり、凸部４６を持たない標準的なＰＣＭＣＩＡカードが使用された時にダングル４５からのケーブルを出せるように使用されている。
【００２５】
図８および９には、可動蓋４７の第２の実施の形態が例示されている。この場合、蓋４７は、コンピュータの上面２の内部または下を移動する。この実施の形態では、コントローラ１１および１２に近い蓋４７の端には複数のばね５２を用いてばね荷重がかけられている。蓋４７を構成要素１０、１１および１２の方へ押し戻すと、蓋はＰＣＭＣＩＡカードの凸部４６が突き出る上部開口５３をコンパートメント２６に作る。その後、蓋４７は、ばね荷重がかかっているので、（図４に示すように）凸部４６に押し当たり、ＰＣＭＣＩＡカードを正しい位置に保持する。前述の通り、開口またはコンパートメント２６が外部環境に曝されないようにするために、蓋４７および開口５３の外周の周りに弾性ゴムの防水要素４９を備えることができる。ここで「ゴム」として使用しているが、ゴムの他、いずれかの適切なパッキンを使用できることを意図している。可動蓋４７は、図８および９に図示の通りばね荷重をかけることもできるし、または、図６および７に示すように側部で結合させることもできる。いずれかの適切な可動蓋４７が本発明の範囲内において考慮し得ることは明白である。
【００２６】
図５に各種ＰＣＭＣＩＡカードを例示しているが、各々、少なくとも１個の水平または基礎部分を有しており、一部は凸部４６を有する。コンパートメント可動蓋４７は、ＰＣＭＣＩＡカードの水平部分５４のほぼ全体を覆うが、一部の凸部４６は覆わない。これに関しては、凸部４６が端部３からはみ出していない、図４を参照されたい。凹形ＰＣＭＣＩＡカードハウジングコンパートメント２６は、ＰＣＭＣＩＡカードの凸部４６だけが露出するようにほとんどカード全体を収容する。従って、ＰＣＭＣＩＡカード２８は、可動蓋４７がＰＣＭＣＩＡカードの水平部分５４を覆い、ＰＣＭＣＩＡカード２８の凸部４６に突き当たるように、コンパートメント２６内に完全に収まる。本発明のコンパートメント２６および可動蓋４７は、ＰＣＭＣＩＡカードに対して最も確実な周知の支持を付与する。本発明の重要な利益は、カードの支持だけでなく、カードをモバイルコンピュータその他のコンピュータ構造に挿入および確保する際の容易さもある。
【００２７】
本発明の好適な実施の形態を説明し、本発明の基礎となる原理を例示するために添付図面に図示したが、本発明の精神および特許請求の範囲を逸脱することなく、多数の変更および派生をなし得ることは理解されるはずである。
【図面の簡単な説明】
【図１】  カードがコンピュータの端部を超えて長手方向に突き出る従来技術のＰＣＭＣＩＡカードスロットを備えるラップトップコンピュータの斜視図である。
【図２】  コアがコンピュータの端部を超えて長手方向に突き出る従来技術のＰＣＭＣＩＡカードスロットを備えるモバイルコンピュータの斜視図である。
【図３】  ＡはＰＣＭＣＩＡカードハウジングを閉じる従来技術の蝶番式蓋を備えるモバイルウエアラブルコンピュータの斜視図、Ｂは上方に隆起した端部を有するＰＣＭＣＩＡカードハウジングを備える図３Ａのコンピュータの略図である。
【図４】  本発明のＰＣＭＣＩＡカードハウジングおよび可動蓋を含むモバイルウエアラブルコンピュータの斜視図である。
【図５】  現在のコンピュータで使用される各種ＰＣＭＣＩＡカードの斜視図である。
【図６】  閉じた状態の本発明の可動蓋の第１の実施の形態を含むモバイルウエアラブルコンピュータの斜視図である。
【図７】  開けた状態の図６のモバイルウエアラブルコンピュータの斜視図である。
【図８】  開けた状態の本発明の可動蓋の第２の実施の形態を含むモバイルウエアラブルコンピュータの斜視図である。
【図９】  閉じた状態の図８のモバイルウエアラブルコンピュータの斜視図である。
【符号の説明】
１  モバイルコンピュータ、２  コンピュータハウジング、３  コンピュータ端部、４  ケーブル、５  背面部、６  底部張出、７  湾曲、８  ブラケットトラック、９  蝶番式開閉蓋、１０  コンピュータの前方部、１１  コントロールボタン、１２  レバー、１３  通気ルーバ、１４  固定スタンド、１５  右側面、１６，１７  開口、２３  穴、２６  ＰＣカードコンパートメント、２７  コネクタ、２８  ＰＣカード、２９  ボタン、３０  シーリング、３１  ケーブル、３４  接続部、４６  凸部、４７  可動蓋、４８  ＰＣＭＣＩＡカード、４９  縁、
【図１】
0003759679.tif 000002
【図２】
0003759679.tif 000003
【図３】
0003759679.tif 000004
【図４】
0003759679.tif 000005
【図５】
0003759679.tif 000006
【図６】
0003759679.tif 000007
【図７】
0003759679.tif 000008
【図８】
0003759679.tif 000009
【図９】
0003759679.tif 000010